(57)【特許請求の範囲】
【請求項１】
原稿を走査し、走査された原稿を表す電子生データを作成および記憶するように構成された走査装置（１０）と、
ユーザが走査された原稿のフォーマット設定を入力できるようにする入力手段（２０、３６、３２、５０）と、
走査装置（１０）に走査プロセスを開始させる開始機構（１８、４８）と、
前記生データを処理し、走査された原稿を表すフォーマット済み原稿ファイルを作成するように構成された処理ユニット（２６）とを備える原稿走査システムであって、
前記入力手段（２０、３６、３２、５０）が、開始機構が原稿の走査プロセスを開始した後で、ユーザがその原稿のフォーマット設定（４４；ＴＩＦＦ、ＪＰＥＧ、ＰＤＦ、ＰＮＧ）を入力できるように構成されたこと、および
前記処理ユニット（２６）がフォーマット設定にしたがって電子生データを処理するように構成されたこととを特徴とする、システム。
【請求項２】
前記開始機構が、前記走査装置（１０）に配された原稿を検出し、それに応じて走査プロセスを自動的に開始可能である原稿検出手段（１８）を備える、請求項１に記載のシステム。
【請求項３】
前記入力手段が、前記走査装置（１０）に配置された制御パネル（２０）と、前記制御パネル（２０）、前記走査装置（１０）、および前記処理ユニット（２６）を制御するように構成された制御ユニット（１４）とを備える、請求項１または２に記載のシステム。
【請求項４】
前記制御パネル（２０）が、初期フォーマット設定を表示し、ユーザが初期フォーマット設定を変更できるようにする画面（３６）と、ユーザが変更されたフォーマット設定を有効にできるようにし、処理ユニット（２６）にこれらの有効にされたフォーマット設定にしたがって生データの処理を開始させる開始ボタン（４８）とを備える、請求項３に記載のシステム。
【請求項５】
プリンタ（１２）を備え、印刷モードを有し、前記処理ユニット（２６）により作成されたフォーマット済み原稿ファイルが印刷のために前記プリンタ（１２）に送信される、請求項１から４のいずれか一項に記載のシステム。
【請求項６】
前記処理ユニット（２６）が走査された原稿の電子生データを分析し、分析結果にしたがって設定パラメータを自動的に判断するように構成され、前記入力手段が選択された設定パラメータをユーザに表示し、ユーザがその設定パラメータを承認または変更できるように構成され、前記処理ユニット（２６）はユーザがフォーマット設定を変更する時に変更された設定に基づいて再度電子生データの処理を開始するように構成された、請求項１から５のいずれか一項に記載のシステム。
【請求項７】
前記入力手段がネットワーク（３０）を介して前記走査装置に接続される遠隔コンピュータ（３２）を備え、前記走査装置（１０）の制御ユニット（１４）は原稿の走査プロセスが実行された時、メッセージを前記コンピュータ（３２）に送信するように構成された、請求項１から６のいずれか一項に記載のシステム。
【請求項８】
前記メッセージが、前記コンピュータ（３２）に送信されてフォーマット設定を表示することによりそこで編集され、次に前記制御ユニット（１４）に戻されて前記処理ユニット（２６）が電子フォーム（５０）で指定されたフォーマット設定に基づいて電子生データを変換する前記フォーム（５０）を含むメッセージである、請求項７に記載のシステム。
【請求項９】
前記フォーム（５０）が、前記コンピュータ（３２）のユーザがフォーマット済み原稿ファイルを送信すべき少なくとも１つの宛先を表示できるようにするフォームである、請求項８に記載のシステム。
【請求項１０】
前記メッセージが、添付書類（５８）として、低品質であり、したがって前記フォーム（５０）で指定され得るフォーマットより少ないデータ量を備えるフォーマットである走査原稿のコピーを含むメッセージである、請求項７から９のいずれか一項に記載のシステム。
【請求項１１】
入力手段（３６、５０）が走査された原稿のプレビュー（５２）を表示するように構成される、請求項１から１０のいずれか一項に記載のシステム。
【発明の詳細な説明】
【技術分野】
【０００１】
本発明は、原稿走査システムに関し、該システムは、原稿を走査し、走査原稿を表す電子生データを作成し、記憶するように構成された走査装置と、ユーザが走査原稿の設定を入力できるようにする入力システムと、走査装置に走査プロセスを開始させる開始機構と、生データを処理し、走査原稿を表示するフォーマット済み原稿ファイルを作成するように構成された処理ユニットとを備える。
【背景技術】
【０００２】
米国特許第５，３８４，６３２号明細書では、デジタル複写機の一部を形成するこのタイプの走査システムが開示されている。一般的に、ユーザは開始ボタンを押す前に、走査条件および複写条件を定義する特定の設定を行って、複写動作を開始する。しかし、この文献で示されているシステムでは、ユーザは複写動作が始まった後でも自分の設定を変更してもよい。したがって、例えば、コピーの数、倍率、紙サイズなどを変更してもよい。その後、これらの変更は、変更後に複写されるコピーに適用されることになる。
【０００３】
米国特許公開第２００４／００９５５９４号明細書では、設定がユーザにより手動で入力される手動モードに加えて、走査原稿の特定の特徴、例えば、カラーまたは白黒の特徴が自動で検出され、この検出結果に応じて自動的に設定が決定される自動モードを有する原稿走査システムが開示されている。
【０００４】
米国特許第５，８１５，７８６号明細書では、走査するために原稿を配置したプラテンのカバーをユーザが閉じるとすぐに、自動的に複写が実行される複写機が開示されている。
【０００５】
米国特許公開第２００２／０１３３５４３号明細書では、Ｓｃａｎ  Ｔｏ  Ｅ−ｍａｉｌ機能を含む原稿走査システムが開示されている。走査原稿のコピーを即座に印刷するのではなく、この原稿をＰＤＦなどの標準フォーマットで表示した電子ファイルが、遠隔の受信者に電子メールで送信される。一般に、このような電子メールへのコピー機能は、例えば、企業や組織のイントラネットなどのデータネットワークのトラフィック負荷をかなり増大させてしまう傾向がある。このデータトラフィックを低減するために、走査原稿が縮小画像に変換され、完全な原稿のフォーマット済みファイルがサーバで記憶される。次に、縮小画像は、完全ファイルが記憶された位置へのリンクを添付して電子メールで受信者に送信され、受信者がその位置からファイルをダウンロードできるようにする。しかし、この場合、受信者は走査パラメータやダウンロードされるファイルのフォーマットを制御できない。
【先行技術文献】
【特許文献】
【０００６】
【特許文献１】米国特許第５，３８４，６３２号明細書
【特許文献２】米国特許公開第２００４／００９５５９４号明細書
【特許文献３】米国特許第５，８１５，７８６号明細書
【特許文献４】米国特許公開第２００２／０１３３５４３号明細書
【特許文献５】欧州特許公開第１８３５７１５号明細書
【特許文献６】米国特許公開第２００７／１９５３８６号明細書
【特許文献７】特開２００４−０３２１６８号公報
【特許文献８】特開２００６−２７９８８５号公報
【特許文献９】特開２００７−１６６１６０号公報
【発明の概要】
【発明が解決しようとする課題】
【０００７】
本発明の目的は、ユーザにフォーマット設定の変更に関して高い柔軟性を与え、それでも使用するために便利で好都合な原稿走査システムを提供することである。
【課題を解決するための手段】
【０００８】
このために、上述したタイプの原稿走査システムでは、入力システムは開始機構が原稿の走査プロセスを開始した後に、ユーザが原稿のフォーマット設定を入力できるように構成され、処理ユニットは、フォーマット設定にしたがって生データを処理するように構成される。
【０００９】
本明細書において使用される用語「フォーマット設定」は、走査画像の体裁および／または該画像の電子表示に影響を与える全ての設定を含む。したがって、フォーマット設定の例には、ＰＤＦ、ＪＰＥＧ、ＴＩＦＦ、ＰＮＧなどの標準フォーマットの仕様や、また画像の明度、カラーまたは白黒、解像度、ハーフトーン画像または二値画像、輪郭強調なども含まれる。
【００１０】
本発明は、複写アプリケーションでは、原稿がすでに走査されている間もユーザが設定を行うことができる利点がある。このことにより、特にユーザが複写機の初期設定に満足せず、自分独自の設定を入力したい場合に、ユーザが複写するために複写機で費やさなければならない時間を大幅に低減できる。従来の複写機では、ユーザはまず開始ボタンを押す前に設定を入力し、次に、原稿画像が走査され、処理され、印刷されるまで待機しなければならない。これに対して、本発明によれば、設定の変更に必要な時間の大部分は、走査に必要な時間に吸収され、とにかく、ユーザが自分の設定動作を終了し、開始ボタンを押す時には画像の少なくともかなりの部分はすでに走査されていることになる。その結果、いわゆる「ＦＣＯＴ（ファーストコピータイム）」が大幅に短縮される。
【００１１】
本発明は、Ｓｃａｎ  Ｔｏ  Ｅ−ｍａｉｌアプリケーションでは、受信者個々の要求に応じてフォーマット設定を定義することが、受信者に一任されるという利点がある。原稿が走査された直後に、生データをファイルが最後に受信者に送信されたフォーマットに変換せずに、生データが少なくとも一定の時間走査装置で記憶され、ユーザが自分の設定を入力できるようにする入力システムはダウンロードフォームを遠隔ユーザ（受信者）に送信するためのシステムを備える。このダウンロードフォームは、ユーザが遠隔のワークステーションで自分の設定を行い、次に、完成したフォームを処理ユニットに戻すことができるようにする。処理ユニットでは生データをダウンロードフォームで特定したフォーマットに変換する。したがって、遠隔のユーザまたは受信者は走査が自分のために行われた時に積極的な警告を受けるが、ユーザが走査原稿をダウンロードしたいか否か、ダウンロードしたい場合、原稿を大量のデータを必要とする高解像度のフォーマットにしたいか、またはバンド幅や記憶容量をあまり必要としない、より「圧縮した」フォーマットにしたいかは、ユーザの判断に委ねられる。
【００１２】
その他の利点として、原稿が複数の受信者に送信される場合、この原稿は一回だけ走査されなければならないが、それでも各受信者は電子ファイルを受信したいフォーマットを個々に決定することができる。
【００１３】
本発明のより具体的な任意の特徴は、従属請求項に示す。
【００１４】
フォーマット設定は通常、走査プロセスが開始した後で行われるので、自動走査機能を実装するのが便利である。この自動走査機能とは、ユーザが原稿を走査装置のプラテン上に配置し、カバーを閉じるとすぐに、あるいは自動原稿搬送装置の場合には、原稿搬送装置が原稿の存在を検出するとすぐに、自動的に走査プロセスが開始されることである。この時、マシンの開始ボタンは、ユーザにより変更された設定または変更されていない設定を承認し、承認された設定にしたがって画像処理を開始する機能のみ有する。
【００１５】
多くの場合、ユーザは初期設定に満足するだろう。このため、開始ボタンを押すまで生データの処理を延ばすのは、本発明の枠組みの中では必須ではない。その代わりに、複写アプリケーションにおいて、十分な量の生データが得られればすぐに画像処理を開始してもよく、画像処理は一定の初期設定に基づいて行ってもよく、またすでに走査された画像の一部の自動分析に基づいて行ってもよい。この時、ユーザが設定を変更しない場合、複写はさらに短時間でできるだろう。一方、ユーザが設定に何らかの変更を行うことを選ぶ場合、画像処理を再び開始するが、この時は変更された設定で開始することになる。不適切な設定に基づいて行われた以前の（ほとんどの場合、不完全な）処理ステップの結果は破棄してもよく、最終的な先の使用のために保存してもよい。
【００１６】
走査プロセスを開始した後で設定が変更できる、または決定できることが本発明の重要な特徴であるが、走査プロセスを開始する前にいくつかの設定を入力できることも除外されない。例えば、ユーザが大きな倍率で走査された画像を拡大したい時、元の走査が十分な高解像度で行われた場合のみ、満足できる品質の拡大画像が得られる。したがって、ユーザが原稿の縮尺比を後で拡大するつもりで原稿を走査する場合、走査プロセスを開始する前に走査解像度を最大に設定するコマンドを入力するのが便利である。しかし、これは必ずしも走査された画像が実際に画像処理ステップで拡大されるという意味ではない。これは、走査プロセスを開始した後でユーザが行う設定によって異なる。
【００１７】
複写アプリケーションでは、画像が処理されたらすぐに生データを削除してもよい。しかし、原本を再び走査する必要なしに、生データおよび同じ原本から異なるフォーマットのいくつかの原稿ファイルを作成できるように、利用可能な記憶容量に応じて走査装置の場所で生データをしばらくの時間記憶するのが便利である場合がある。
【００１８】
もちろん、Ｓｃａｎ  Ｔｏ  Ｅ−ｍａｉｌアプリケーションでは、フォーマット仕様を含むダウンロードフォームに遠隔ユーザが書き込み、返すことができるのに十分な少なくとも一定の時間、生データを記憶すべきである。好都合なことに、受信者がユーザのコピーをダウンロードした時に生データを削除してもよい。しかし、原稿を走査装置に供給したローカルユーザにより入力された命令または電子コピーを受信した遠隔ユーザにより入力された命令が、生データが即座に削除されるか、場合によってはその他の受信者による将来の使用のために記憶されるかを指定する。
【００１９】
Ｓｃａｎ  Ｔｏ  Ｅ−ｍａｉｌアプリケーションでは、完全な走査原稿の低品質ファイルを電子形式でユーザに送信されるメッセージに添付することも便利である場合がある。このことで、ユーザの応答が遅すぎてその間に生データが削除された場合には、受信者は少なくとも、あまりデータトラフィックを必要とせずにその原稿の関連性の痕跡を示す低品質ファイルを確実に入手できる。
【００２０】
走査ファイルをダウンロードせずに、遠隔ユーザは原稿を印刷するために走査ファイルをプリンタ（例えば、走査装置と同じ場所に設置されるプリンタ）に向けるオプションを有してもよい。このことで、これまで最初に受信者にファイルを送信し、次に受信者のワークステーションからファイルをプリンタに送信するのに必要だったデータトラフィックを避けることができる。
【００２１】
以下に本発明の好ましい実施形態を図面と併せて説明する。
【図面の簡単な説明】
【００２２】
【図１】本発明の多機能の走査および複写装置のブロック図である。
【図２】本発明による走査プロセスを示すタイムチャートである。
【図３】変更実施形態の走査プロセスのタイムチャートである。
【図４】図１に示された装置の操作パネルの表示画面を示す図である。
【図５】図１に示された装置の操作パネルの表示画面を示す図である。
【図６】図１に示された装置の操作パネルの表示画面を示す図である。
【図７】図１に示された装置の操作パネルの表示画面を示す図である。
【図８】本発明によるＳｃａｎ  Ｔｏ  Ｅ−ｍａｉｌプロセスのフロー図である。
【図９】図８のＳｃａｎ  Ｔｏ  Ｅ−ｍａｉｌプロセスで、遠隔ユーザに送信される電子ダウンロードフォームのレイアウトを示す図である。
【発明を実施するための形態】
【００２３】
図１に示すように、走査、複写、印刷のアプリケーションに使用され得る、いわゆるＭＦＤ（多機能デバイス）は、走査装置１０、プリンタ１２、走査装置の機能の制御に適したハードウェアおよびソフトウェアを含む制御ユニット１４を備え、プリンタおよびその他の機能ユニットは図１に示されている。
【００２４】
当分野で一般に知られているように、走査装置１０は自動原稿搬送装置１６を装備する。自動原稿搬送装置に１枚または複数枚の原稿が配置され得、次に、自動原稿搬送装置が走査装置を通って１枚ずつシートを供給する。原稿のシートが両面に画像がある場合（両面原稿の場合）、シートは原稿搬送装置で裏返され、それぞれのシートの裏面を走査するために走査装置に二度目に送られる。
【００２５】
示された例では、原稿搬送装置１６はさらに、原稿シート１枚または複数ページの原稿のシート１束が原稿搬送装置１６の原稿受けトレイに配置された状態を検出することができる原稿検出システム１８を備える。この原稿検出システム１８はさらに、トレイに配置されたシートのフォーマットを検出することもできる。
【００２６】
走査装置１０、プリンタ１２、制御ユニット１４、走査装置１０上に都合よく設けられた制御パネル２０は、ローカルネットワーク２２により互いに接続され、制御パネル２０を含む接続された装置が制御ユニット１４により制御されるようにすることができる。
【００２７】
当分野でよく知られているように、制御パネル２０は、電子ディスプレイおよび多数のキー、あるいはユーザが命令や設定を入力できるようにし制御ユニット１４により生成されるメッセージをユーザに向けて表示できるようにするタッチスクリーンを含む。走査装置１０は従来のタイプにしてもよく、原稿のシートに画像を走査し、画像の各ピクセルの特定の色、輝度の値を検出することができる。次に、完全な画像情報を表す検出値が、さらにネットワーク２２に接続されるメモリ２４内にデジタル生データとして記憶される。
【００２８】
画像プロセッサ２６は、ネットワーク２２を介してメモリ２４から生データをフェッチするように、また走査画像を少なくとも１つの印刷可能なフォーマットを含む複数のフォーマットのうち選択された１つに変換するために、生データ上で画像処理操作を実行し、走査原稿の印刷されたコピーがプリンタ１２を使用して印刷できるようにする。
【００２９】
ＷＡＮインタフェース２８は、ローカルネットワーク２２とインターネットやイントラネットなどのＷＡＮ（広域ネットワーク）３０との間のゲートウェイとして働き、ＷＡＮ３０を介してＭＦＤが多数のクライアントコンピュータ３２および、図示した例ではサーバ３４と通信できるようにする。
【００３０】
したがって、遠隔ユーザは、クライアントコンピュータ３２の１つからの印刷してほしい原稿をＭＦＤに送信してもよい。印刷ファイルはＷＡＮインタフェース２８を介して受信され、ある論理記憶領域が特定のユーザ用に確保されるメールボックス３６内に記憶されてもよい。次に、プリンタ１２が利用可能である時に、メールボックス３６内に以前記憶されたデータが印刷される。
【００３１】
逆に、走査された生データを処理することによりプロセッサ２６で作成された原稿ファイルは、クライアントコンピュータ３２の１つまたはサーバ３４に送信されてもよい。図１で図示されているように、サーバ３４はＷＡＮインタフェース２８に直接接続されて、データがプロセッサ２６からサーバ３４に転送される時にＷＡＮ３０でトラフィック負荷が生じないようにしてもよい。サーバ３４は、処理された走査ファイルのための大容量記憶装置（図示せず）を含んでもよく、または大容量記憶装置に接続されてもよい。
【００３２】
Ｓｃａｎ  Ｔｏ  Ｅ−ｍａｉｌアプリケーションでは、例えば、走査装置１０で走査され、プロセッサ２６によりフォーマット済み走査ファイルに変換された原稿は、対象の受信者のクライアントコンピュータ３２に直接送信するのではなく、サーバ３４に記憶することができる。次に、制御ユニット１４およびＷＡＮインタフェース２８の制御下で、短い電子メールメッセージが自動的に作成され、受信者に送信されて、走査された原稿のコピーが利用可能であることを通知してもよい。次に、受信者はサーバ３４から走査ファイルをダウンロードしてもよい。しかし、本発明の好ましい実施形態では、Ｓｃａｎ  Ｔｏ  Ｅ−ｍａｉｌプロセスは、本明細書で以下に説明するような方法で変更される。
【００３３】
本発明による走査システム、例えば、複写アプリケーションの動作を説明する第１の例として、図２は走査プロセスのタイムチャートを示す。原稿を複写したい、または原稿を遠隔受信者に送信したいローカルユーザは、走査装置１０を起動し、原稿を原稿搬送装置１６のトレイ上に配置する。この原稿はＴ１の時点で原稿検出システム１８により検出される。対応する検出信号は制御ユニット１４に伝送され、その後すぐに、この制御ユニットは即座に原稿搬送装置１６および走査装置１０を開始し、原稿が自動的に走査されるようにする。この走査動作は、図２のＴＩ２で示された一定の時間間隔に及ぶ。走査された原稿のページにある画像を表す生データは、メモリ２４でバッファリングされる。
【００３４】
場合によっては、走査結果は、制御パネル２０のディスプレイに表示されるプレビューの形でユーザにフィードバックされてもよい。図示した例では、Ｔ３の時点で原稿の第１ページ目が完全に走査され、ここでプレビューが表示されるＴＩ４の時間間隔が開始する。
【００３５】
Ｔ５の時点（Ｔ３より早くでもよい）で、ユーザは制御パネル２０を介して、複写をしたいか否か、走査が他の目的のために保存されるのを望むか否かを指示する。
【００３６】
（走査する）時間間隔ＴＩ２と重なるかまたはＴＩ２の後のＴＩ６の時間間隔の間、ユーザはプロセッサ２６により実行される画像処理のための設定を入力してもよい。これらの設定は、例えば、走査ファイルを記憶すべき任意の標準フォーマット、例えば、ＰＤＦ、さらに解像度、画像の輝度、縮尺比の拡大または縮小、画像タイプ（カラーまたは白黒、二値またはハーフトーン）などの画像の質を指定してもよい。
【００３７】
これらの全ての設定は、プロセッサ２６の動作のみに影響を与え走査装置１０の動作には影響を与えないことを理解できるだろう。もちろん、プロセッサ２６が所望の結果を生み出すためには、走査プロセスは一定の要件を満たさなければならない。走査解像度は、少なくともフォーマット設定に必要な解像度と同じくらい高い解像度にしなければならない。走査装置の原稿プラテンの走査部分の寸法（長さおよび幅）は、できる限り大きくすべきである。すなわち、走査領域は実際には原稿プラテン全体になるが、ユーザにより入力された設定に基づいて、または原稿搬送装置のフォーマット検出に基づいて、より小さい原稿のシートサイズへの任意の可能なトリミングがプロセッサ２６により行われることになる。同様に、原稿搬送装置は、原稿が片面のシートであるか両面のシートであるかを検出して、原稿の全部の内容が走査されるようにしてもよい。しかし、原稿の表面や裏面が走査される順番はページ番号順に対応する必要はない。それは、プロセッサ２６により後でページ付けをしてもよいためである。
【００３８】
ユーザが設定を入力するＴＩ６の時間間隔の間、プロセッサ２６はプレビューに使用される少なくともそれらのデータを処理するようにすでに動作可能であり、ユーザが設定において行ったいずれの変更の結果もユーザがすぐに見ることができるようにしてもよい。これは、原稿のごく一部をいわゆるプリスキャンで走査してプレビューを提供する既知のスキャナの概念に相当する。本明細書で開示された走査システムにおいて、ＴＩ２の時間間隔で実行される走査プロセスは、そのようなプリスキャンのみで構成されるのではなく、最終走査プロセスおよび全原稿の走査プロセスのみからも構成される。
【００３９】
ユーザが自分の行った設定に満足である時は、Ｔ７の時点で制御パネル２０の開始ボタンを押す。そうすることによって、ＴＩ６の時間間隔の間に入力された設定が有効であると見なされ、これ以上変更されないことを承認する。このことがプロセッサ２６に、ユーザにより行われた設定に基づいて全原稿の生データを処理するのを開始させて、走査ファイルを作成する。この画像処理は、ＴＩ８の時間間隔内で行われる。
【００４０】
図２に示されるように、画像処理の時間間隔ＴＩ８は、任意で走査の時間間隔ＴＩ２と重なってもよい。例えば、原稿の第１ページ目は、最後のページがまだ走査中に処理されることになる。
【００４１】
Ｔ９の時点で、画像処理は完了し、走査ファイルはその宛先、例えばプリンタ１２に送信される。複写アプリケーションの場合、次にメモリ２４内の生データは削除されてもよい。しかし、以下でＳｃａｎ  Ｔｏ  Ｅ−ｍａｉｌ機能についてさらに詳しく説明した時により明らかになるように、Ｓｃａｎ  Ｔｏ  Ｅ−ｍａｉｌアプリケーションの場合、少なくともしばらくの時間メモリ２４内に生データを保持するのが好ましい。
【００４２】
複写システムでは、システムの生産性のための有益なインジケータは、いわゆる「ＦＣＯＴ（ファーストコピータイム）」である。これは、ユーザが開始ボタンを押す時点と最初のコピーが受領される時点との間の時間間隔の長さとして定義される。図２において、Ｔ９の時点の直後に最初のコピーが出力されて、ＦＣＯＴが主に画像処理に必要な時間間隔ＴＩ８のみからなるようにする。一般に、原稿が走査される時間間隔ＴＩ２はＦＣＯＴを少しも増大させることはないことがいえる。
【００４３】
走査システムの汎用性を示す別のパラメータは、ユーザが走査装置で費やさなければならない総使用時間である。示された実施形態では、この時間はＴ１からＴ９（またはＦＣＯＴの終わり）となる。図２の例に示されるように、ユーザが設定を行うＴＩ６の時間間隔は全体に走査時間ＴＩ２に吸収される可能性がある。対照的に、従来の走査システムでは、設定は走査プロセスが始まるＴ１の時点以前の時間間隔で行われ、ユーザが走査装置で費やさなければならない時間は大幅に長かった。
【００４４】
図３は、図２と同様のタイムチャートであるが、変更実施形態によるワークフローを示す。Ｔ１およびＴＩ２におけるイベントやプロセスは、図２と同じである。しかし、この実施形態では、原稿の一部が走査されるとすぐに、ＴＩ１３の時間間隔の間でプロセッサ２６（または他の処理手段）により生データが分析される。この分析では、例えば、原本がカラーであるか白黒であるか、原本が写真を含むか否か、および／またはハーフトーン領域であるか文字のみであるか、原稿の背景の濃度は検出されるか否かなどが判断され、画像処理のパラメータや設定はこの分析結果に応じて自動的に判断される。プロセッサ２６により自動的に判断された設定は、ＴＩ１４の時間間隔の間にプレビューとともに表示される。その間に、画像分析はより直近のデータに基づいて継続され、提案された設定がその結果に応じて変更されてもよい。
【００４５】
ある程度信頼性のある適切な設定を判断するために十分なデータが分析されるとすぐに、画像処理が自動的に開始される。この処理は、図３のＴＩ１５の時間間隔の初めに自動的に判断された設定に基づくことになる。
【００４６】
Ｔ１６の時点で、ユーザはアプリケーションのタイプ（例えば、複写）を入力する。その後、ユーザは操作パネル２０において手動で設定を変更する可能性があり、さらなる処理はユーザが手動で設定を変更したか否かによって異なる。
【００４７】
ユーザから設定の変更に関する入力がない場合、すなわち、ユーザがプレビューにより判別されたような提案された設定に満足である場合、ＴＩ１５の時間間隔の間に実行された画像処理は継続される（ＴＩ１５’）。しかし、ユーザがＴＩ１７の時間間隔の間に設定を変更し、次にＴ１８で開始ボタンを押す場合、ＴＩ１５の時間間隔の間に実行された画像ルーチンは破棄され、変更された設定に基づいた別の画像処理ルーチンがＴＩ１９の時間間隔の間に実行される。これは、ＴＩ１５の時間間隔の間の「暫定的」である処理作業が無駄であるということである。
【００４８】
最後に、画像処理が完了すると、その結果はＴ２０で出力される。
【００４９】
ＴＩ１７とＴＩ１９との時間間隔を経た処理ルーチンの結果は、図２と同じになり、ＦＣＯＴも同じになる。しかし、ユーザが設定においていずれの変更も行わなかった場合（ＴＩ１５’を通るルート）、ＦＣＯＴはさらに短縮される。これは、ユーザが設定の変更を行う選択をする前に画像処理がすでに開始されているためである。
【００５０】
制御パネル２０を介したユーザとＭＦＤとの間の相互作用の例を説明するために、図４から図７は異なる条件の操作パネル２０における表示画面３６を示す。図４では、画面３６は、ユーザが走査装置を起動するが、原稿搬送装置１６のトレイに原稿がまだ配置されていない（すなわち、図２または図３のＴ１の前の）状態で示されている。
【００５１】
ここで、走査装置１０は、標準の走査解像度の標準モードと、走査画像を後で拡大する場合に役に立つ走査解像度を高めた特別モードとの２つの走査モードで動作可能であるとする。画面３６のボタン３８により、ユーザは最大解像度を選択することができる。この最大解像度が必要な場合、原稿を原稿搬送装置に配する前にボタン３８を押すべきである。それは、原稿を原稿搬送装置に配するボタンを押すことですでに走査装置が走査を開始してしまうためである。
【００５２】
場合によっては、ユーザが装置を使用することが可能になる前にＩＤ（ユーザ識別）を入力するように促されてもよい。ＩＤは、ＰＩＮコードまたはパスワードを画面３６のフィールド４０に打ち込むこと、キーコードを記憶しているＵＳＢスティックをプラグインすることなどにより入力してもよい。
【００５３】
別のオプションとして、ユーザは走査される原稿の原稿タイトルをフィールド４２に入力してもよい。その後、複写モードが選択されるとこのタイトルをコピーの表紙に印刷することができ、また走査ファイルが記憶される時に走査ファイルを識別することができる。
【００５４】
図示された例では、ユーザは、「複写」「Ｓｃａｎ  Ｔｏ  Ｅ−ｍａｉｌ」のアプリケーションモードから選択するだけである。「複写」は初期設定の選択である。
【００５５】
図５は、制御パネル２０に表示される開始画面３６の別の例を示す。この画面は、ユーザにより変更される多数の設定（フォーマット設定）の初期値を示す。これらの設定は、例えば原稿の写真や文字の画像のタイプの設定仕様を含む。初期設定は、（例えば、図３のような）画像タイプの自動認識（「オート（ａｕｔｏ）」）である。
【００５６】
その他の設定のオプションは、処理画像の明度、ハーフトーン処理や画像の鮮明度（コントラストおよび／または輪郭強調）に関する。これらのオプションは、「明」から「暗」、「粗」から「細」などに移動できるスライド４４により画面３６で表される。
【００５７】
さらに、図５の画面３６は空のプレビューウインドウ４６および片面コピーを印刷するのか両面コピーを印刷するのかを指定する複写設定を示す。
【００５８】
原稿が原稿搬送装置に配置されると（または、原稿搬送装置に自動走査機能がない場合は、開始ボタン４８を押すと）、画面３６は図４または図５の様子から、図２のＴＩ４の時間間隔に対応する図６の様子に変わる。例えば、今、原稿の第１ページ目のプレビューが、プレビューウインドウ４６内に示されている。ここで、開始ボタン４８は選択された設定を承認し、画像処理を開始する機能がある（図２のＴ７の時点）。
【００５９】
図７では、ユーザが明度のスライド４４を動かせてより暗いコピーを選択し、要求される結果が即座にプレビューウインドウ４６内に示される。開始ボタン４８が図７に示された状態で押されると、画像処理は走査ファイル内のより暗い画像となる閾値で実行される。
【００６０】
ユーザがアプリケーション「Ｓｃａｎ  Ｔｏ  Ｅ−ｍａｉｌ」を選択すると（図４）、マシンとの相互作用は、図４から図７に関連して説明したのと同じになる場合がある。しかし、好ましい実施形態では、フォーマット設定を変更するオプションは、この場合、マシン側のユーザではなく電子メールを受信するユーザのためのオプションである。この場合、画面３６は、例えば、図４に示された状態のままでもよく、プロセスフローは図８に示された多数のステップを含むことになる。
【００６１】
原稿がステップＳ１で走査され、生データが場合によりフィールド４０、４２に入力されたユーザＩＤと原稿タイトルと一緒にメモリ２４に記憶される。次に、ユーザが「Ｓｃａｎ  Ｔｏ  Ｅ−ｍａｉｌ」を選択した時、ステップＳ２が実行され、ユーザは画面３６上で追加の入力フィールド（図４に図示せず）に走査ファイルの宛先を入力するように促される。例えば、宛先は受信者の電子メールアドレスにより指定してもよい。次に、ステップＳ３で、制御ユニット１４がＷＡＮインタフェースに、電子メールにより宛先の受信者に電子ダウンロードフォーム（例えば、ＨＴＭＬフォーマット）を送信させる。
【００６２】
そのようなフォーム５０の一例が図９に示されている。このフォームは、送信者が自分のＩＤで自分を識別した場合、走査原稿の送信者、すなわち、走査装置１０で原稿を入力したユーザを表示してもよい。さらに、原稿タイトルおよび、原稿が走査された時間や日付を表示してもよい。走査原稿のプレビュー５２もフォーム５０内に含まれる。このプレビュー５２はシートの束の形で表され、束の高さが走査原稿のページ数を表す。
【００６３】
フォーム５０は受信者のクライアントコンピュータ３２のコンピュータ画面に表示され、コンピュータに関連付けられたマウスやキーボードを使用して受信者により編集されてもよい。図示された例では、受信者には、走査ファイルを受信することができる４つの異なるフォーマット（ＴＩＦＦ、ＪＰＥＧ、ＰＤＦ、またはＰＮＧ）のうち１つを選択するオプションがある。さらに、この実施形態では、フォーマットＪＰＥＧとＰＮＧは、複数のページの原稿の場合に第１ページ目のみに利用可能である。
【００６４】
所望のフォーマットを選択した後、受信者はフォーム５０の「ダウンロード」ボタン５４を押してもよい。それと同時に、完成したフォーム、すなわち、選択したフォーマットで表示されたフォームがＷＡＮインタフェース２８を介して制御ユニット１４に送り返される。これは、図８のステップＳ４に相当する。制御ユニット１４は、選択されたフォーマットを読み出し、プロセッサ２６にメモリ２４から生データをフェッチして選択されたフォーマットのファイルに変換するように命令する（ステップＳ５）。画像処理が完了した時、このファイルは受信者のクライアントコンピュータ３２に送信されることになる（ステップＳ６）。
【００６５】
図９に示されるように、フォーム５０は印刷ボタン５６も含む。受信者がダウンロードボタンではなく印刷ボタン５６を押すと、フォーム５０はさらにＭＤＦに送り返され、プロセッサ２６に上述したのと同じ方法で生データを変換させる。しかし、ここでこれらのデータは原稿のハードコピーを印刷するためにプリンタ１２に向けられる。もちろん、この時フォーム５０のフォーマットの選択は、プリンタ１２で処理することができるフォーマットに限定される。
【００６６】
さらに別のオプション（図９に図示せず）によれば、プロセッサ２６により作成された走査ファイルはサーバ３４で記憶され、そこから他のユーザによりダウンロードされてもよい。
【００６７】
さらに図９に示されるように、電子メール送信のフォーム５０はさらに、走査原稿の低品質のコピー、例えば、走査装置１０の識別表示ＸＸＸおよび走査時間や日付により識別される低解像度のＰＤＦファイルからなる添付書類５８を含む。受信者が原稿のこの低品質のコピーに満足である場合、かなり大量のデータの伝送が必要な高品質のコピーのダウンロードを行わずに、フォーム５０の「保存」ボタン６０を押して添付書類５８を保存してもよい。「保存」オプションは、受信者が高品質の原稿をダウンロードしようとする時点でメモリ２４内の生データがすでに削除されてしまった場合の予防手段としての働きもある。
【００６８】
最後に、フォーム５０の「オプション」ボタン６２はフォームの拡張を可能にし、受信者に多くの追加のオプションを提供する。例えば、受信者は図６および図７と同じ方法で明度、ハーフトーンなどの設定を変更できる可能性が与えられる。他のオプションは、同じ受信者または他のユーザによる後のダウンロードのために、原稿の生データをメモリ２４内に記憶すべき時間を指定するようにできる。他のオプションは、受信者が走査ファイルを別の宛先、例えば、別のクライアントコンピュータ３２または別のプリンタ、例えば、図１のプリンタ１２が白黒のみのプリンタであるがスキャナ１０がカラースキャナである場合はカラープリンタに、送信させるようにすることができる。
【符号の説明】
【００６９】
１０  スキャナ
１２  プリンタ
１４  制御ユニット
１６  原稿搬送装置
１８  原稿検出システム
２０  制御パネル
２２  ローカルネットワーク
２４  メモリ（生データ）
２６  プロセッサ
２８  ＷＡＮインタフェース
３０  ＷＡＮ（広域ネットワーク）
３２  クライアント
３４  サーバ（走査ファイル）
３６  メールボックス
３８  ボタン（最大解像度）
４０  フィールド（ユーザＩＤ）
４２  フィールド（原稿タイトル）
４４  スライド
４６  プレビューウインドウ
４８  開始ボタン
５０  フォーム
５２  プレビュー
５４  ダウンロードボタン
５６  印刷ボタン
５８  添付ファイル
６０  保存ボタン
６２  オプションボタン
【図１】
0005542320.tif 000002
【図２】
0005542320.tif 000003
【図３】
0005542320.tif 000004
【図４】
0005542320.tif 000005
【図５】
0005542320.tif 000006
【図６】
0005542320.tif 000007
【図７】
0005542320.tif 000008
【図８】
0005542320.tif 000009
【図９】
0005542320.tif 000010